(57)【要約】【課題】  超硬度金属などの高価な材料を使わずに、しかも超硬度チップからなるホールソーなどの不正解錠用の道具による不正解錠を防止すること。【解決手段】  軸方向に内筒嵌挿穴１１を形成した外筒１０と、外筒１０の内筒嵌挿穴１１に嵌挿された内筒２０と、前記外筒１０と内筒２０とを被蓋するシリンダーケース３０とを少なくとも備えた扉錠のシリンダーであって、前記シリンダーケース３０の空室３３内には、外筒１０または内筒２０を嵌装したプロテクター４０を前部位置に設けるとともに、該プロテクター４０より後部位置に滑り部材５０を設け、不正解錠用の道具による不正解錠時には前記プロテクター４０は滑り部材５０を介して空転されるように構成してある。【選択図】        図２
2005207124.tif 000002
【特許請求の範囲】
【請求項１】
軸方向に内筒嵌挿穴を形成した外筒と、外筒の内筒嵌挿穴に嵌挿された内筒と、前記外筒と内筒とを被蓋するシリンダーケースとを少なくとも備えた扉錠のシリンダーであって、
前記シリンダーケースの空室内には、外筒または内筒を嵌装したプロテクターを前部位置に設けるとともに、該プロテクターより後部位置に滑り部材を設け、不正解錠用の道具による不正解錠時には前記プロテクターは滑り部材を介して空転されるように構成してあることを特徴とする扉錠のシリンダー。
【請求項２】
前記シリンダーケースの外装ケースとプロテクターとの間には隙間を形成してある請求項１に記載の扉錠のシリンダー。
【発明の詳細な説明】
【技術分野】
【０００１】
本発明は、ドリルやホールソー（大きな穴をあけるために円筒の先端外周に多数の鋸歯を形成した刃物工具）などの不正解錠用の道具により破壊して不正解錠されるのを防止できる扉錠のシリンダーに関する。
【背景技術】
【０００２】
最近、扉錠においては、ドリルやホールソー等の不正解錠用の道具によって、施錠状態にある扉錠のシリンダーのシリンダーケース等に穴を開け、内筒と外筒の境界に沿った位置で上ピンや上ピンバネ等を破壊して、上記内外両筒の境界（シャーライン）上に跨っていた上ピンや上ピンバネ等を除去し又はシリンダー全体を除去して、工具等でデッドハブを回動することにより錠杆を後退して解錠するという、不正解錠行為が知られている。
【０００３】
それの対応策として、特開２００２−８９０９４号公報（特許文献１）記載のシリンダー錠が提案されている。この公報記載のシリンダー錠は、外筒内に挿入された内筒を回動して施解錠を行う形成のシリンダー錠において、内筒と外筒の境界円周上にあるいは境界円周と同心的な隣接位置に、内筒および外筒の材質よりも硬度の高い材質により製造された断面円形もしくは楕円形のリングを嵌合設置してなるものである。
【０００４】
前記特開２００２−８９０９４号公報記載のシリンダー錠によれば、同公報で従来例として挙げられた図６及び図７に示すように、境界の上下両ピンの位置する部分に近接して、外筒に別途用意した超硬度金属の細杆（図６参照）又は超硬度金属の球（図７参照）を内装してなる従来例のものに比べて、上下両ピンからなるピン群が一列でなく複数列の場合でも、製造工程が少なく製造単価も低減できるという利点があろう。
【０００５】
しかしながら、この公報記載のシリンダー錠の内筒と外筒の境界円周上又は同心的な隣接位置に嵌合設置されたリングは、内筒および外筒の材質よりも硬度の高い材質で製造されているものである。そのため、該リングが、超硬度チップからなるホールソー（不正解錠用の道具）より硬度の低い材質で製造されている場合には、同リングはホールソーにより破壊されてしまい、また、このリングのない部分をホールソーで攻撃すれば破錠及び解錠を防止することができないという問題があった。前者の場合には、前記リングをホールソーの超硬度チップよりも硬度の高い材質（例えばダイアモンドなど）で製造すれば解決できるが、同リングの材料費が高価となるため採用することができない。また、後者の場合には全く効果がない。
【特許文献１】特開２００２−８９０９４号公報
【発明の開示】
【発明が解決しようとする課題】
【０００６】
本発明の解決しようとする課題は、超硬度金属などの高価な材料を使わずに、しかも超硬度チップからなるホールソーなどの不正解錠用の道具による破錠及び解錠を防止する点にある。
【課題を解決するための手段】
【０００７】
本発明の扉錠のシリンダーは、軸方向に内筒嵌挿穴を形成した外筒と、外筒の内筒嵌挿穴に嵌挿された内筒と、前記外筒と内筒とを被蓋するシリンダーケースとを少なくとも備えた扉錠のシリンダーであって、前記シリンダーケースの空室内には、外筒または内筒を嵌装したプロテクターを前部位置に設けるとともに、該プロテクターより後部位置に滑り部材を設け、不正解錠用の道具による不正解錠時には前記プロテクターは滑り部材を介して空転されるように構成してあることを特徴とする（請求項１参照）。
【０００８】
ここで、「滑り部材」とは、その素材自体が例えば燐青銅等の如く滑りの良好な材料で形成してあるもの（第１・第２実施例参照）、円盤状の保持板の円周方向に鋼球などの転動体を回転自在に複数個を保持したもの（第３実施例参照）、その他の構成でもよい。
【０００９】
本発明によれば、ドリルやホールソーなどの不正解錠用の道具により穴があけられて、扉錠のシリンダーが破錠されようとした時に、プロテクターが押圧される。その押圧力で該プロテクターは滑り部材の滑り作用により回転方向に回転されて、前記不正解錠用の道具によって穴をあけることができない。つまり、不正解錠用の道具による破錠時に、プロテクターは滑り部材の滑り作用で空転するため穴をあけることができず破錠行為から防止されるのである。
【発明の効果】
【００１０】
本発明の請求項１に記載の扉錠のシリンダーによれば、シリンダーケースの空室内には、外筒または内筒を嵌装したプロテクターを前部位置に設けるとともに、該プロテクターより後部位置に滑り部材を設け、不正解錠用の道具による不正解錠時には前記プロテクターは滑り部材を介して空転されるように構成してあるから、不正解錠用の道具による破錠時に、プロテクターは滑り部材の滑り作用で空転するため、該不正解錠用の道具が前進方向に向けて進むことができず、該プロテクターに穴をあけることができない。そのため不正解錠用の道具による破錠と解錠を防止することができる。また、本発明におけるプロテクターや滑り部材は超硬度金属などの高価な材料を用いる必要がなく安価な材料で良いので、材料費が低減できる。
【発明を実施するための最良の形態】
【００１１】
本発明に係る扉錠のシリンダーの最良の形態としては、外筒と内筒とシリンダーケースとを備え、前記シリンダーケースの空室内には、外筒または内筒を嵌装したプロテクターを前部位置に設けるとともに、該プロテクターより後部位置に滑り部材を設け、不正解錠用の道具による不正解錠時には前記プロテクターは滑り部材を介して空転されるように構成してある。
この場合、前記シリンダーケースの外装ケースとプロテクターとの間に隙間を形成しておくと、不正解錠用の道具をシリンダーケースの外装ケースに押し付けて不正解錠を目的に穴をあけようとした場合に、前記隙間があることからプロテクターの回転自由度が増大して、該プロテクターが滑り部材の滑り作用との相乗作用で一層空転し易くなり、不正解錠用の道具により穴をあけることができないので、破錠と解錠が確実に防止できる。
【実施例１】
【００１２】
本発明の第１実施例を図１〜図１３に基づいて以下に説明する。
図１〜図５において、１は扉錠のシリンダーであって、この扉錠のシリンダー１は、軸方向に内筒嵌挿穴１１を形成した外筒１０と、外筒１０の内筒嵌挿穴１１に回動可能に嵌挿された内筒２０と、前記外筒１０と内筒２０とを被蓋するシリンダーケース３０とを少なくとも備えている。
【００１３】
内筒２０には、図２に示すように、周知の如く、軸方向にキー穴２１が形成してあるとともに、複数の下ピン２３を収容する下ピン穴２２群が列設してある。一方、外筒１０には、前記下ピン穴２２群に対向して、複数の上ピン１３及び上ピンバネ１４を収容する上ピン穴１２群が列設してある。そして、内筒２０のキー穴２１に挿入された合鍵（図示せず）のキー山によって、それぞれの下ピン２３と上ピン１３との境界が内筒２０と外筒１０との境界（シャーライン）Ｌと一致することで、合鍵により内筒２０を回動して解錠されるようになっている。
なお、内筒２０の後端部には、錠ケース２に嵌装されたデッドハブ（図示せず）を操作する操作片２５が連結されている。前記内筒２０は外筒１０に嵌挿した状態で一体となってシリンダーケース３０にその後端部側（扉側）より着脱自在に取り付けられる。
【００１４】
シリンダーケース３０は、お椀を横向きにして前部及び後部に開口３１ａ、３１ｂを有するステンレス鋼製の外装ケース３１と、外装ケース３１の後部開口３１ｂより嵌合して該外装ケース３１の後端部をかしめた外装ケース蓋３２と、外装ケース３１と外装ケース蓋３２とで形成される空室３３に収納されて、前記外装ケース蓋３２にネジ３５で固定された皿状の取付板３４とを備えている。前記取付板３４の中央部には前記扉錠のシリンダー１の内筒２０を嵌挿する嵌挿穴３４ａが穿設されている。
【００１５】
シリンダーケース３２の空室３３内には、前部位置に内筒２０の前部を嵌装した椀状のプロテクター４０を設けるとともに、該プロテクター４０より後部位置（つまりプロテクター４０と取付板３４間の位置）にドーナツ状の滑り部材５０を設けている。
【００１６】
前記プロテクター４０は、中央部に扉錠のシリンダー１の内筒２０の前段部を嵌挿する嵌挿穴４１を有する横向きの椀状に形成され、外装ケース３１の内側に沿って接触した状態で設けてある。このプロテクター４０は、取付板３４と同様に焼入れなどの熱処理を施した金属を用いているが、硬度の高いものであればその他の材料のものでよい。また、滑り部材による空転効果が高い場合は、通常のステンレス鋼などでもよい。
【００１７】
滑り部材５０は、燐青銅などの滑りの良好な材料で製造されるとともに、中央部に内筒２０の前部を嵌挿する嵌挿穴５１を有するドーナツ状に形成され、プロテクター４０と取付板３４との間に挟持されている。
【００１８】
前記プロテクター４０と滑り部材５０をシリンダーケース３０内に組み付ける場合の一例を以下に説明する。
先ず、後部開口３１ｂ端縁が断面で一直線のときの外装ケース３１の空室３３において、その空室３３の前部位置にプロテクター４０を外装ケース３１の内面に沿うように配置する。次に、前記プロテクター４０の後面に滑り部材５０を設けるとともに、滑り部材５０の後面に取付板３４を設ける。そして、取付板３４の後面に外装ケース蓋３２を設け、外装ケース蓋３２と取付板３４とをネジ３５で固定する。最後に、外装ケース蓋３２の外周縁部に、外装ケース３１の後部開口３１ｂ端縁を折り曲げしてかしめめる。
【００１９】
上述の如く組み付けられたシリンダーケース３０には、外装ケース蓋３２の中央部に形成された嵌挿穴３２ａ、取付板３４の嵌挿穴３４ａ、滑り部材５０の嵌挿穴５１，プロテクター４０の嵌挿穴４１及び外装ケース３１の前部開口３１ａが連通されており、これらの連通部に、操作片２５つきの内筒２０を嵌挿した外筒１０が一体となって後端部側から着脱自在に嵌装される。そして外筒１０の前部方向へのそれ以上の移動は取付板３４により阻止されている。
【００２０】
次に、シリンダーケース３０の後面（裏面）側に、図１０〜図１２に示された如き裏蓋３６を、図１及び図２に示すように、ネジ３７で固定することにより、本発明に係る扉錠のシリンダーが出来上がる。
なお、図１０〜図１２で、３８はねじ３７を挿通するため裏蓋３６の平板部３６ａに形成された挿通穴、３９は扉ａの切欠穴ｂより錠ケース２と室内側のサムターン装置３とを取り付けるためのねじ柱７０を挿通するため、裏蓋３６の膨出部３６ｂに形成されたねじ柱挿通穴である。
【００２１】
図１、図２、図６〜図８に示す２６は操作片５を支持するためのキャップであって、このキャップ２６は、中央部に形成した操作片挿通穴２６ｂに図９に示す如き操作片２５を差し込んで、操作片２５の係止部２５ａにより該挿通穴２６ｂより抜けないようにしている。また、前記裏蓋３６の中央部に形成した貫通穴３６ｃに、同キャップ２６を図１で右から左方向に向けて差し込み、該キャップ２６のフランジ２６ａを裏蓋３６の膨出部３６ｂ前面に当接させて押さえている。従って、操作片２５は外れることがない。
また、図３〜図５で、４はデッドボルトなどの錠杆である。図３と図５で５は錠ケース２を扉ａに取り付けるネジである。図１、図２及び図１３で７０ａは雄ねじである。
【００２２】
本発明の実施例１の作用を図１及び図２に基づいて以下に説明する。今、本発明の扉錠のシリンダー１に対して、内筒２０と外筒１０の境界や上下両ピン１３、２３の収容位置を予測し、その予測位置をドリルやホールソーなどの不正解錠用の道具でシリンダーを破錠を目的に穴をあけようとした時に、シリンダーケース３０の外装ケース３１を介してプロテクター４０がドリルやホールソーなどによって押圧されるが、その押圧力で該プロテクター４０は滑り部材５０の滑り作用により軸方向に回転するので、前記不正解錠用の道具の先端は予測位置から逃げてしまうと共に前進方向に向けて進む（プロテクター４０を切削する）ことができなくなり、プロテクター４０に穴をあけることができない。その結果、上記不正解錠用の道具による不正解錠を防止することができる。
【実施例２】
【００２３】
図１４は本発明の第２実施例を示すものであり、同図ではプロテクター４０及び滑り部材５０を設けたシリンダーケース３０を示しているが、外筒１０や内筒２０その他の構成は前記第１実施例と同様に設けているので省略している。
【００２４】
この第２実施例の特徴は、シリンダーケース３０の外装ケース３１とプロテクター４０との間に隙間Ｓを形成したものである。この隙間Ｓがあることから、ドリルやホールソーなどの不正解錠用の道具をシリンダーケース３０の外装ケース３１を介して不正解錠しようとした場合に、プロテクター４０の回転自由度が増大して、該プロテクター４０が滑り部材５０の滑り作用との相乗作用で一層空転し易くなり、不正解錠が確実に防止できる。
【実施例３】
【００２５】
図１５は本発明の第３実施例を示すものであり、この実施例は滑り部材５０に特徴を有し、その他の構成は前記第１実施例で示したものと同様であるので、第１実施例の図面及び説明を参照するとよい。
【００２６】
この場合の滑り部材５０は、円盤状の保持板５５の円周方向に鋼球やコロなどの転動体５６を回転自在に複数個を保持させてなるものである。
従って、第１実施例の作用で説明したように、前記ドリルやホールソーなどの不正解錠用の道具で破壊されようとした時に、、シリンダーケース３０の外装ケース３１を介してプロテクター４０が、ドリルやホールソーなどによって押圧されるが、その押圧力で該プロテクター４０は滑り部材５０の転動体５６の滑り作用により軸方向に回転するので、第１実施例の滑り部材５０の場合と同様にして、前記不正解錠用の道具ではプロテクター４０に穴をあけられずシリンダーの不正解錠を防止することができる。
【００２７】
なお、各実施例において、プロテクター４０と滑り部材５０とを取り付ける方法は、種々設計変更できるものであり、図示のものに限定されない。
また、プロテクター４０と滑り部材５０の形状は、図示のものに限らず適宜設計変更できる。
【００２８】
実施例１及び２では、滑り部材５０はドーナツ（リング）状の平板を１枚設けているが、２枚又は３枚以上を重ねて設けることもできる。このように複数枚を重ねて使用すると、１枚の場合に比べて一層滑り易くなり、プロテクター４０を格段に空転し易くなる利点がある。
【産業上の利用可能性】
【００２９】
本発明の扉錠のシリンダーは、扉錠の構成部品として単品として製造販売できるだけでなく、錠ケースやサムターン装置等とセットすることによってセット品としての扉錠ともなる。
【図面の簡単な説明】
【００３０】
【図１】本発明の実施例１の水平断面図である。（実施例１）
【図２】実施例１における扉錠のシリンダーの縦断面図である。（実施例１）
【図３】実施例１の扉錠のシリンダーを取り付けた状態の正面図である。（実施例１）
【図４】実施例１の扉錠のシリンダーを取り付けた状態の平面図である。（実施例１）
【図５】実施例１の扉錠のシリンダーを取り付けた状態の側面図である。（実施例１）
【図６】操作片支持キャップの背面図である。（実施例１）
【図７】操作片支持キャップの断面図である。（実施例１）
【図８】操作片支持キャップの水平断面図である。（実施例１）
【図９】操作片の側面図である。（実施例１）
【図１０】シリンダーケースの裏蓋の背面図である。（実施例１）
【図１１】図１０の縦断面図である。（実施例１）
【図１２】図１０の底面図である。（実施例１）
【図１３】(Ａ)はねじ柱の側面図である。（実施例１）               （Ｂ）は（Ａ）の左側面図である。（実施例１）
【図１４】本発明の実施例２の概略断面図である。（実施例２）
【図１５】本発明の実施例３の水平断面図である。（実施例３）
【符号の説明】
【００３１】
１        扉錠のシリンダー
１０      外筒
１１      内筒嵌挿穴
１２      上ピン穴
１３      上ピン
１４      上ピンバネ
２０      内筒
２１      キー穴
２２      下ピン穴  
２３      下ピン
２５      操作片
２６      操作片支持キャップ
３０      シリンダーケース
３１      外装ケース
３３      空室
３４      取付板
４０      プロテクター
５０      滑り部材
５５      保持板  
５６      転動体
Ｓ        隙間
【図１】
2005207124.tif 000003
【図２】
2005207124.tif 000004
【図３】
2005207124.tif 000005
【図４】
2005207124.tif 000006
【図５】
2005207124.tif 000007
【図６】
2005207124.tif 000008
【図７】
2005207124.tif 000009
【図８】
2005207124.tif 000010
【図９】
2005207124.tif 000011
【図１０】
2005207124.tif 000012
【図１１】
2005207124.tif 000013
【図１２】
2005207124.tif 000014
【図１３】
2005207124.tif 000015
【図１４】
2005207124.tif 000016
【図１５】
2005207124.tif 000017